(57)【特許請求の範囲】
【請求項１】
１台又は複数台のポンプを制御するポンプ制御盤において、
少なくとも前記ポンプの運転・停止制御を行う第１制御部、前記ポンプの運転に関する操作を行う第１基本操作部、前記ポンプの状態に関する情報を表示する第１表示部を有する主制御盤と、
少なくとも前記ポンプの運転・停止制御を行う第２制御部、前記ポンプの運転に関する操作を行う第２基本操作部、前記ポンプの状態に関する情報を表示する第２表示部を有する遠方操作盤と、
前記主制御盤に設けられ前記遠方操作盤との通信を所定のプロトコルで行う第１通信制御部と、
前記主制御盤に設けられ前記ポンプの駆動部との通信を前記第１通信制御部で行うプロトコルとは異なるプロトコルで行う第２通信制御部と、
前記遠方操作盤に設けられ前記主制御盤との通信を行う第３通信制御部と、
前記主制御盤に設けられ、手動・停止・自動のいずれかの運転モードを選択させると共に、自動運転モードが選択された場合にのみ、前記遠方操作盤における前記ポンプの運転・停止制御を有効にする運転選択スイッチ部とを備え、
前記主制御盤の表示部には優先ランプが設けられ、
前記遠方操作盤の第２表示部は、さらに警報ブザーを有し、
前記主制御盤における前記運転選択スイッチ部の前記運転モードが自動運転モードで、かつ、前記第２通信制御部において前記ポンプの駆動部との通信接続が行われた場合のみ、前記遠方操作盤における前記ポンプの運転・停止制御を有効とし、前記第２表示部の優先ランプを点灯させ、前記運転選択スイッチ部は、前記運転モードが手動又は停止の際、あるいは、前記第２通信制御部において前記ポンプの駆動部の通信が遮断されている場合に、前記警報ブザーを鳴動させることを特徴とするポンプ制御盤。
【請求項２】
前記運転選択スイッチ部は、前記ポンプの台数に応じて前記主制御盤に着脱自在に設けられていることを特徴とする請求項１に記載のポンプ制御盤。
【請求項３】
前記主制御盤における前記運転選択スイッチ部の前記運転モードが手動又は停止の際、あるいは、前記第２通信制御部において前記ポンプの駆動部の通信が遮断されている場合に、前記遠方操作盤の前記第２表示部の優先ランプは消灯させることを特徴とする請求項１に記載のポンプ制御盤。
【発明の詳細な説明】
【技術分野】
【０００１】
本発明は、給水ポンプユニットを制御するポンプ制御盤に関し、特に給水ポンプユニットから離れた位置に設けられた遠方制御盤を有するものに関する。
【背景技術】
【０００２】
給水ポンプユニットは、音や振動の問題を回避するため生活エリアから離れた場所（地下室や屋外ポンプ室）に設置されることが多い。給水ポンプユニットを制御するポンプ制御盤は、給水ポンプユニットの近くに設置されるため、故障発生時以外に地下室や屋外ポンプ室に出向いてポンプ制御盤を操作することは面倒であることから、ポンプ制御盤と同じ操作が可能な遠方操作盤を生活エリアに設けることがあった（例えば、特許文献１参照）。なお、給水ポンプユニットの近くのポンプ制御盤と遠方操作盤とは通信ケーブルで接続されている。
【先行技術文献】
【特許文献】
【０００３】
【特許文献１】特開２００３−３０７１８３号公報
【発明の概要】
【発明が解決しようとする課題】
【０００４】
上述した遠方操作盤を有するポンプ制御盤にあっては、次のような問題があった。すなわち、遠方操作盤を扱っている作業者は実際の給水ポンプユニットを見ることができないため、給水ポンプユニットを扱っている作業者が居るにも関わらず、遠方操作盤で操作をすると給水ポンプユニットが突然起動して、作業者に危険を及ぼす虞があった。このため、遠方操作盤は、ポンプの起動・停止を行うことができない状態監視のみの機能を有することが一般的であった。
【０００５】
そこで本発明は、ポンプの起動・停止を行うことができる遠方操作盤が接続されている場合であっても、十分に安全を確保することができるポンプ制御盤を提供することを目的としている。
【課題を解決するための手段】
【０００６】
前記課題を解決し目的を達成するために、本発明のポンプ制御盤は次のように構成されている。
【０００７】
１台又は複数台のポンプを制御するポンプ制御盤において、少なくとも前記ポンプの運転・停止制御を行う第１制御部、前記ポンプの運転に関する操作を行う基本操作部、前記ポンプの状態に関する情報を表示する表示部を有する主制御盤と、少なくとも前記ポンプの運転・停止制御を行う第２制御部、前記ポンプの運転に関する操作を行う基本操作部、前記ポンプの状態に関する情報を表示する表示部を有する遠方操作盤と、前記主制御盤に設けられ前記遠方操作盤との通信を行う第１通信制御部と、前記主制御盤に設けられ前記ポンプの駆動部との通信を行う第２通信制御部と、前記遠方操作盤に設けられ前記主制御盤との通信を行う第３通信制御部と、前記主制御盤に設けられ、手動・停止・自動のいずれかの運転モードを選択させると共に、自動運転モードが選択された場合にのみ、前記遠方操作盤における前記ポンプの運転・停止制御を有効にする運転選択スイッチ部とを備え、前記主制御盤の表示部には優先ランプが設けられ、前記遠方操作盤の第２表示部は、さらに警報ブザーを有し、前記主制御盤における前記運転選択スイッチ部の前記運転モードが自動運転モードで、かつ、前記第２通信制御部において前記ポンプの駆動部との通信接続が行われた場合のみ、前記遠方操作盤における前記ポンプの運転・停止制御を有効とし、前記第２表示部の優先ランプを点灯させ、前記運転選択スイッチ部は、前記運転モードが手動又は停止の際、あるいは、前記第２通信制御部において前記ポンプの駆動部の通信が遮断されている場合に、前記警報ブザーを鳴動させることを特徴とする。
【発明の効果】
【０００８】
本発明によれば、ポンプの起動・停止を行うことができる遠方操作盤が接続されている場合であっても、十分に安全を確保することが可能となる。
【図面の簡単な説明】
【０００９】
【図１】本発明の一実施の形態に係るポンプ制御盤の構成を示すブロック図。
【図２】同ポンプ制御盤に組み込まれた主制御盤と遠方操作盤の操作パネルを示す正面図。
【図３】同主制御盤と遠隔操作盤の運転切替状態を示す説明図。
【図４】同主制御盤及び遠方操作盤の運転選択とポンプ運転との関係を示す説明図。
【発明を実施するための形態】
【００１０】
図１は本発明の一実施の形態にかかるポンプ制御盤１０の構成を示すブロック図、図２はポンプ制御盤１０に組み込まれた主制御盤２０の操作パネル４０又は遠方操作盤５０の操作パネル７０を示す正面図、図３は主制御盤２０と遠隔操作盤５０の運転切替状態を示す説明図、図４は主制御盤２０及び遠方操作盤５０の運転選択とポンプ運転との関係を示す説明図である。
【００１１】
ポンプ制御盤１０は、２台の給水ポンプユニットＰ１，Ｐ２にそれぞれ設けられたポンプ駆動用のインバータ（ポンプの駆動部）Ｑ１，Ｑ２を制御する機能を有している。ポンプ制御盤１０は、給水ポンプユニットＰ１，Ｐ２の近傍に配置された主制御盤２０と、給水ポンプユニットＰ１，Ｐ２から離れた位置（生活エリア等）に配置された遠方操作盤５０と、主制御盤２０と遠方操作盤５０との間で信号の入出力を行う通信ケーブル１００とを備えている。なお、主制御盤２０とインバータＱ１，Ｑ２との間には信号の入出力を行う通信ケーブル２００とが設けられている。
【００１２】
主制御盤２０は、操作表示やポンプの制御を行う第１制御部２１を有している。制御部２１には、数字を表示する７セグメントＬＥＤ２２、液晶ディスプレイ２３、不揮発性メモリ２４、操作・表示部２５、ディップスイッチ２６、第１通信制御部としての第１通信ポート（プロトコルＡ）２７、第２通信制御部としての第２通信ポート（プロトコルＢ）２８、運転選択スイッチ部３０とが接続されている。上記した各部のうち、７セグメントＬＥＤ２２、液晶ディスプレイ２３、操作・表示部２５、運転選択スイッチ部３０は操作パネル４０上に配置されている。なお、７セグメントＬＥＤ２２、液晶ディスプレイ２３、操作・表示部２５は、ポンプの運転に関する操作を行う第１基本操作部、ポンプの状態に関する情報を表示する第１表示部としての機能を有している。
【００１３】
７セグメントＬＥＤ２２は、７つのセグメントを有し、各セグメントの明滅で、ポンプの吐き出し揚程等の値を数字で表示する表示装置である。
【００１４】
液晶ディスプレイ２３は、バックライト付きで、ビットマップで数値や画像等各種表示内容に応じて適宜必要な表示を行う表示装置である。
【００１５】
不揮発性メモリ２４は、給水ポンプユニットＰ１，Ｐ２の操作プログラム、基本設定値、現在の設定値を記憶する機能を有している。
【００１６】
操作・表示部２５は、図２に示すように、電源状態を示す電源ランプ／優先状態を示す優先ランプ・リセットスイッチを有する電源表示部／リセット操作部２５ａ、受水槽／流入弁／開閉を選択する選択スイッチ・選択表示ランプを有する受水槽流入弁操作部２５ｂ、メニュー方式で操作内容を入力するメニュー操作部２５ｃ、異常発生をランプやブザーで知らせる警報部２５ｄ、ポンプの正常／故障を表示するランプを有する運転・故障表示部２５ｅ、満水／減水／渇水をランプの点灯により水位を報知する液面表示部２５ｆを備えている。電源表示部／リセット操作部２５ａの優先ランプは、後述するように遠方操作盤５０が優先状態の時に点灯する。
【００１７】
ディップスイッチ２６は、接続されたポンプの台数等の基本的な内容を入力する機能を有している。
【００１８】
第１通信ポート（プロトコルＡ）２７は、遠方操作盤５０との信号のやり取りに用いられる。プロトコルＡは、高速の通信速度が要求されない場合に用いられる。なお、外部通信機器との接続にも用いられる。
【００１９】
第２通信ポート（プロトコルＢ）２８と、高速の通信速度が要求される場合、すなわちポンプ運転のためのインバータ通信用で応答性が重視される場合に用いられる。なお、第２通信ポート２８は、実際にインバータＱ１，Ｑ２との間で信号のやり取りをしているかどうかを制御部２１にフィードバックする機能を有している。
【００２０】
第１通信ポート２７と第２通信ポート２８とは独立しており、それぞれ最大２４７台までの通信機器が接続可能である。
【００２１】
運転選択スイッチ部３０は、「手動」・停止・「自動」を設定する運転スイッチ３１と、給水ポンプユニットＰ１，Ｐ２のいずれかの運転、又は、両方の運転を設定する選択スイッチ３２である。なお、運転選択スイッチ部３０は、第１制御部２１が搭載された基板とは別体の基板であり、給水ポンプユニットの増減によって、運転選択スイッチ部３０を基板と共に取り替えることが可能であり、第１制御部２１が搭載された基板とはコネクタにより着脱自在に構成されている。
【００２２】
遠方操作盤５０は、主制御盤２０を介して操作表示やポンプの制御を行う第２制御部５１を有している。制御部５１には、数字を表示する７セグメントＬＥＤ５２、液晶ディスプレイ５３、不揮発性メモリ５４、操作・表示部５５、ディップスイッチ５６、第３通信制御部としての第１通信ポート（プロトコルＡ）５７、運転選択スイッチ部６０が接続されている。上記した各部のうち、７セグメントＬＥＤ５２、液晶ディスプレイ５３、操作・表示部５５、運転選択スイッチ部５０は操作パネル７０上に配置されている。操作パネル７０は上述した操作パネル４０とほぼ同様に構成されている。なお、７セグメントＬＥＤ５２、液晶ディスプレイ５３、操作・表示部５５は、ポンプの運転に関する操作を行う第２基本操作部、ポンプの状態に関する情報を表示する第２表示部としての機能を有している。
【００２３】
７セグメントＬＥＤ５２は、７つのセグメントを有し、各セグメントの明滅で、ポンプの吐き出し揚程等の値を数字で表示する表示装置である。
【００２４】
液晶ディスプレイ５３は、バックライト付きで、ビットマップで数値や画像等各種表示内容に応じて適宜必要な表示を行う表示装置である。
【００２５】
不揮発性メモリ５４は、給水ポンプユニットＰ１，Ｐ２の操作プログラム、基本設定値、現在の設定値を記憶する機能を有している。
【００２６】
操作・表示部５５は、図２に示すように、電源状態を示す電源ランプ／優先状態を示す優先ランプ・リセットスイッチを有する電源表示部／リセット操作部５５ａ、受水槽／流入弁／開閉を選択する選択スイッチ・選択表示ランプを有する受水槽流入弁操作部５５ｂ、メニュー方式で操作内容を入力するメニュー操作部５５ｃ、異常発生をランプやブザーで知らせる警報部５５ｄ、ポンプの正常／故障を表示するランプを有する運転・故障表示部５５ｅ、満水／減水／渇水をランプの点灯により水位を報知する液面表示部５５ｆを備えている。電源表示部／リセット操作部５５ａの優先ランプは、遠方操作盤５０が優先状態の時に点灯する。
【００２７】
ディップスイッチ５６は、接続されたポンプの台数等の基本的な内容を入力する機能を有している。
【００２８】
第１通信ポート（プロトコルＡ）５７は、主制御盤２０との信号のやり取りに用いられる。第１通信ポート５７は最大２４７台までの通信機器が接続可能である。
【００２９】
運転選択スイッチ部６０は、「手動」・「停止」・「自動」を設定する運転スイッチ６１と、給水ポンプユニットＰ１，Ｐ２のいずれかの運転、又は、両方の運転を設定する選択スイッチ６２である。なお、運転選択スイッチ部６０は、第２制御部５１が搭載された基板とは別体の基板であり、給水ポンプユニットの増減によって、運転選択スイッチ部６０を基板と共に取り替えることが可能であり、第２制御部５１が搭載された基板とはコネクタにより着脱自在に構成されている。なお、給水ポンプユニットの増減によって、この部分を基板と共に取り替えることが可能である。
【００３０】
このように構成されたポンプ制御盤１０では、次のようにして給水ポンプユニットＰ１，Ｐ２の制御を行う。なお、主制御盤２０の運転モード、遠方操作盤５０の運転モード、ポンプの運転とは図４に示す関係となる。
【００３１】
最初に、主制御盤２０による優先運転を行う場合について説明する。運転選択スイッチ部３０において、運転スイッチ３１により運転モードを「手動」とする。これにより、遠方操作盤５０での給水ポンプユニットＰ１，Ｐ２の起動・停止の操作は無効となり、電源表示部／リセット操作部５５ａの優先ランプが消灯し、液晶ディスプレイ５３により操作無効の表示がなされる。なお、その他の状態表示は通常通り行われる。
【００３２】
選択スイッチ３２により、給水ポンプユニットＰ１，Ｐ２のいずれかの運転、又は、両方の運転を設定する。そして、操作・表示部５５により必要な操作を行うことでポンプの運転を行う。
【００３３】
次に、遠方操作盤５０による優先運転を行う場合について説明する。運転選択スイッチ部３０において、運転スイッチ３１により運転モードを「自動」とする（図３参照）。これにより、遠方操作盤５０での給水ポンプユニットＰ１，Ｐ２の起動・停止の操作が優先となり、電源表示部／リセット操作部５５ａの優先ランプが点灯する。また、７セグメントＬＥＤ５２、液晶ディスプレイ５３、操作・表示部５５の状態表示は通常通り行われる。
【００３４】
選択スイッチ６２により、給水ポンプユニットＰ１，Ｐ２のいずれかの運転、又は、両方の運転を設定する。そして、操作・表示部５５により必要な操作を行うことでポンプの運転を行う。
【００３５】
なお、運転選択スイッチ部３０において、運転スイッチ３１により運転モードを「停止」とすると、給水ポンプユニットＰ１，Ｐ２が完全に停止し、運転スイッチ６１の状態、操作・表示部２５，５５の操作に関わらずポンプが起動することはない。停止モードは、メンテナンス時や不使用時に設定する。
【００３６】
このように構成されたポンプ制御盤１０では、ポンプの起動・停止を行うことができる遠方操作盤５０が接続されている場合であっても、十分に安全を確保することが可能となる。
【００３７】
上述した主制御盤２０は遠方操作盤５０を接続しない場合であっても、単独のポンプ制御盤として使用することができる。
【００３８】
なお、本発明は、上記実施の形態に限定されるものではない。例えば給水ポンプユニッ
トのポンプの数は、２台に限るものでない。この他、本発明の要旨を逸脱しない範囲で種
々変形実施可能であるのは勿論である。以下に、本願出願の当初の特許請求の範囲に記載された発明を付記する。
［１］１台又は複数台のポンプを制御するポンプ制御盤において、少なくとも前記ポンプの運転・停止制御を行う第１制御部、前記ポンプの運転に関する操作を行う第１基本操作部、前記ポンプの状態に関する情報を表示する第１表示部を有する主制御盤と、少なくとも前記ポンプの運転・停止制御を行う第２制御部、前記ポンプの運転に関する操作を行う第２基本操作部、前記ポンプの状態に関する情報を表示する第２表示部を有する遠方操作盤と、前記主制御盤に設けられ前記遠方操作盤との通信を行う第１通信制御部と、前記主制御盤に設けられ前記ポンプの駆動部との通信を行う第２通信制御部と、前記遠方操作盤に設けられ前記主制御盤との通信を行う第３通信制御部と、前記主制御盤に設けられ、手動・停止・自動のいずれかの運転モードを選択させると共に、自動運転モードが選択された場合にのみ、前記遠方操作盤における前記ポンプの運転・停止制御を有効にする運転選択スイッチ部とを備えていることを特徴とするポンプ制御盤。
［２］前記運転選択スイッチ部は、前記ポンプの台数に応じて前記主制御盤に着脱自在に設けられていることを特徴とする［１］に記載のポンプ制御盤。
［３］前記主制御盤の表示部には優先ランプが設けられ、前記主制御盤における前記運転選択スイッチ部の前記運転モードが自動運転モードで、かつ、前記第２の通信制御部において前記ポンプの駆動部との通信接続が行われた場合のみ、前記遠方操作盤における前記ポンプの運転・停止制御を有効とし、前記第２表示部の優先ランプを点灯させることを特徴とする［１］に記載のポンプ制御盤。
［４］前記主制御盤における前記運転選択スイッチ部の前記運転モードが手動又は停止の際、あるいは、前記第２の通信制御部において前記ポンプの駆動部の通信が遮断されている場合に、前記遠方操作盤の前記第２表示部の優先ランプは消灯させることを特徴とする［１］に記載のポンプ制御盤。
［５］前記遠方操作盤の第２表示部は、さらに警報ブザーを有し、前記運転選択スイッチ部は、前記運転モードが手動又は停止の際、あるいは、前記第２の通信制御部において前記ポンプの駆動部の通信が遮断されている場合に、前記警報ブザーを鳴動させることを特徴とする［１］に記載のポンプ制御盤。
【符号の説明】
【００３９】
１０…ポンプ制御盤、２０…主制御盤、２１…第１制御部、２２…７セグメントＬＥＤ、２３…液晶ディスプレイ、２５…操作・表示部、２７…第１通信ポート（第１通信制御部）、２８…第２通信ポート（第２通信制御部）、３０…運転選択スイッチ部、５０…遠方操作盤、５１…第２制御部、５２…７セグメントＬＥＤ、５３…液晶ディスプレイ、５５…操作・表示部、５７…第１通信ポート（第３通信制御部）、６０…運転選択スイッチ部、１００…通信ケーブル、２００…通信ケーブル、Ｐ１，Ｐ２…給水ポンプユニット、Ｑ１，Ｑ２…インバータ（ポンプの駆動部）。
【図１】
0005948029.tif 000002
【図２】
0005948029.tif 000003
【図３】
0005948029.tif 000004
【図４】
0005948029.tif 000005